(57)【要約】      （修正有）【課題】オガクズがチェンスプロケットカバー内に溜まるのを効率よく阻止でき、チェンスプロケットカバーを外してのオガクズの除去作業を不要、あるいは著しく低減させて、効率よく使用することができるチェンソーを得る。【解決手段】本体３に取付けられたチェンバー５の後端部を覆うチェンスプロケットカバー６と、このチェンスプロケットカバー６の開口部７の少なくとも下部側の前方部位の外周部を覆う前部カバー８、この前部カバー８内に位置するように、チェンスプロケットカバー６あるいは該前部カバー８に取付けられたチェン刃４に付着したオガクズを除去するオガクズ除去ブラシ９とでチェンソー１を構成したので、チェン刃に付着したオガクズを効率よく除去できる。【選択図】  図７
2004188724.tif 000002
【特許請求の範囲】
【請求項１】
ハンドル等が備えられた本体と、この本体に後端部が取付けられた外周部をチェン刃が回転するチェンバーと、前記本体に取付けられた前記チェンバーの後端部を覆うチェンスプロケットカバーと、このチェンスプロケットカバーの開口部の少なくとも下部側の前方部位の外周部を覆う前部カバーと、この前部カバー内に位置するように、前記チェンスプロケットカバーあるいは該前部カバーに取付けられたチェン刃に付着したオガクズを除去するオガクズ除去ブラシとからなることを特徴とするチェンソー。
【請求項２】
ハンドル等が備えられた本体と、この本体に後端部が取付けられた外周部をチェン刃が回転するチェンバーと、前記本体に取付けられた前記チェンバーの後端部を覆うチェンスプロケットカバーと、このチェンスプロケットカバーの後部の上下部に形成されたカバーがそれぞれ取付けられた上下部オガクズ排出孔と、前記チェンスプロケットカバーの開口部の少なくとも下部側の前方部位の外周部を覆う前部カバーと、この前部カバー内に位置するように前記チェンスプロケットカバーあるいは該前部カバーに取付けられた前記チェン刃に付着したオガクズを除去するオガクズ除去ブラシとからなることを特徴とするチェンソー。
【請求項３】
ハンドル等が備えられた本体と、この本体に後端部が取付けられた外周部をチェン刃が回転するチェンバーと、前記本体に取付けられた前記チェンバーの後端部を覆うチェンスプロケットカバーと、このチェンスプロケットカバーの後部の上下部に形成されたカバーがそれぞれ取付けられた上下部オガクズ排出孔と、前記チェンスプロケットカバー内に位置するように取付けられた、前記チェン刃に付着したオガクズを除去するオガクズ除去ブラシとからなることを特徴とするチェンソー。
【請求項４】
オガクズ除去ブラシはチェンスプロケットカバーあるいは前部カバーに取付けられた支持具と、この支持具に回転可能に取付けられたブラシ本体とからなることを特徴とする請求項１、２、３いずれかに記載のチェンソー。
【請求項５】
オガクズ除去ブラシはチェンスプロケットカバーあるいは前部カバーに取付けられた支持具と、この支持具に固定されたブラシ本体とからなることを特徴とする請求項１、２、３いずれかに記載のチェンソー。
【発明の詳細な説明】
【０００１】
【発明の属する技術分野】
本発明は枝打ちや枝払い作業に使用されるチェンソーに関する。
【０００２】
【従来の技術】
従来のチェンソーはハンドルが備えられた本体に外周部をチェン刃が回転するチェンバーの後端部を取付けるとともに、該チェンバーの後端部を覆うチェンスプロケットカバーを前記本体に取付けている。
【０００３】
【発明が解決しようとする課題】
従来のチェンソーは枝打ちや枝払い作業を行なった場合、チェン刃に枝の切断時に発生するオガクズが付着して、チェンスプロケットカバー内に入り込み、該チェンスプロケットカバー内に溜まる。
このため、比較的頻繁にチェンスプロケットカバーを外して、オガクズの除去作業をしなければならないという欠点があった。
【０００４】
本発明は以上のような従来の欠点に鑑み、チェン刃に付着したオガクズを効率よく除去してチェンスプロケットカバー内に溜まるのを効率よく阻止でき、チェンスプロケットカバーを外してのオガクズの除去作業を不要、あるいは著しく低減させて、効率よく使用することができるチェンソーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はハンドル等が備えられた本体と、この本体に後端部が取付けられた外周部をチェン刃が回転するチェンバーと、前記本体に取付けられた前記チェンバーの後端部を覆うチェンスプロケットカバーと、このチェンスプロケットカバーの開口部の少なくとも下部側の前方部位の外周部を覆う前部カバーと、この前部カバー内に位置するように、前記チェンスプロケットカバーあるいは該前部カバーに取付けられたチェン刃に付着したオガクズを除去するオガクズ除去ブラシとでチェンソーを構成している。
【０００７】
【発明の実施の形態】
以下、図面に示す実施の形態により、本発明を詳細に説明する。
【０００８】
図１ないし図７に示す本発明の第１の実施の形態において、１は本発明のチェンソーで、このチェンソー１はハンドル２等が備えられた本体３と、この本体３に後端部が着脱可能に取付けられた外周部をチェン刃４が回転するチェンバー５と、前記本体３に着脱可能に取付けられた前記チェンバー５の後端部を覆うチェンスプロケットカバー６と、このチェンスプロケットカバー６の開口部７の少なくとも下部側の前方部位の外周部を覆うように、該チェンスプロケットカバー６に取付けられた前部カバー８と、この前部カバー８内に位置するように前記チェンスプロケットカバー６に両端部が取付けられた、前記チェン刃４に付着したオガクズを除去するオガクズ除去ブラシ９と、前記チェンスプロケットカバー６の後部の上下部に形成されたカバー１０、１１がそれぞれ取付けられた上下部オガクズ排出孔１２、１３とで構成されている。
【０００９】
前記本体３はベース板１４と、このベース板１４の内側面の前方部位に設けられた前記チェンバー５の後端部を取付ける係止ピン１５やボルト１６等からなる取付け部１７と、この取付け部１７の後方の前記ベース板１４部位に回転可能に取付けられた、前記チェン刃４と噛み合うスプロケット１８と、このスプロケット１８を回転させる、使用者が背負うエンジン１９からの駆動力伝達手段２０に接続されるスプロケット駆動機構２１と、前記ベース板１４に取付けられたハンドル２とで構成されている。
【００１０】
前記オガクズ除去ブラシ９はＵ字状に針金等を用いて形成した棒状の支持具２２と、この支持具２２に固定的に取付けられたブラシ本体２３と、前記支持具２２の両端部に形成された前記チェンスプロケットカバー６、取付けボルト１６およびオイルカバー２４、取付けボルト２５に係止され、取付け片２６、２６とで構成されている。
【００１１】
上記構成のチェンソー１はエンジン１９からの駆動力が伝達手段２０、スプロケット駆動機構２１を介してスプロケット１８に伝わり、該スプロケット１８の回転によりチェン刃４をチェンバー５の外周部を回転させ、枝打ちや枝払い作業を行なうが、この作業時にチェン刃４にオガクズが付着するが、チェン刃４に付着するオガクズはオガクズ除去ブラシ９によって除去され、前部カバー内へ落下させることができる。
また、オガクズ除去ブラシ９で除去できずにチェンスプロケットカバー６内に付着しようとするオガクズは、上下部オガクズ排出孔１２、１３より排出されるが、該上下部オガクズ排出孔１２、１３より排出されるオガクズは作業者に直接当たらないようにカバー１０、１１によって阻止される。
このため、オガクズの排除のためのチェンスプロケットカバー６の開放作業を著しく低減させることができる。
【００１２】
【発明の異なる実施の形態】
次に、図８ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図８ないし図１０に示す本発明の第２の実施の形態において、前記本発明の第１の実施の形態と主に異なる点は、角筒状の前部カバー８Ａを用いるとともに、該前部カバー８Ａのチェン刃４の両側部に位置する部位に取付けられた一対の軸状の支持具２２Ａ、２２Ａ、この一対の軸状の支持具２２Ａ、２２Ａにそれぞれ回転可能に取付けられたブラシ本体２３Ａ、２３Ａとからなるオガクズ除去ブラシ９Ａとを用いた点で、このような前部カバー８Ａとオガクズ除去ブラシ９Ａとを用いて構成したチェンソー１Ａにしても、前記本発明の第１の実施の形態と同様な作用効果が得られる。
【００１４】
図１１ないし図１３に示す本発明の第３の実施の形態において、前記本発明の第１の実施の形態と主に異なる点は、本体３Ａにチェン刃４を回転させるエンジン１９を取付けた点で、このように構成されたチェンソー１Ｂにしても、前記本発明の第１の実施の形態と同様な作用効果が得られる。
【００１５】
図１４ないし図１６に示す本発明の第４の実施の形態において、前記本発明の第１の実施の形態と主に異なる点は、スプロケット１８の駆動軸１８ａにチェンスプロケットカバー６の内壁面およびチェン刃４に付着したオガクズを除去する回転ブラシ２７を取付けた点で、このような回転ブラシ２７を用いて構成したチェンソー１Ｃにしても、前記本発明の第１の実施の形態と同様な作用効果が得られる。
【００１６】
図１７ないし図１９に示す本発明の第５の実施の形態において、前記本発明の第１の実施の形態と主に異なる点は、チェン刃４と接触する面にギザキザ２８が形成された硬質ゴム材製のブラシ本体２３Ｂをチェンスプロケットカバー６に複数本のビス２９で取付ける支持具２２Ｂとからなるオガクズ除去ブラシ９Ｂを用いた点で、このようなオガクズ除去ブラシ９Ｂを用いて構成したチェンソー１Ｄにしても、前記本発明の第１の実施の形態と同様な作用効果が得られる。
【００１７】
図２０ないし図２２に示す本発明の第６の実施の形態において、前記本発明の第５の実施の形態と主に異なる点は、硬質ゴム材製のＵ字状のブラシ本体２３Ｃをチェンスプロケットカバー６に複数本のビス２９で取付ける支持具２２Ｃとからなるオガクズ除去ブラシ９Ｃを用いた点で、このようなオガクズ除去ブラシ９Ｃを用いて構成したチェンソー１Ｅにしても、前記本発明の第５の実施の形態と同様な作用効果が得られる。
【００１８】
図２３および図２４に示す本発明の第７の実施の形態において、前記本発明の第１の実施の形態と主に異なる点は、上部オガクズ排出孔を設けることなく、下部オガクズ排出孔１３のみを設けた点で、このように構成したチェンソー１Ｆにしても、前記本発明の第１の実施の形態と同様な作用効果が得られる。
【００１９】
【発明の効果】
以上の説明から明らかなように、本発明にあっては次に列挙する効果が得られる。
【００２０】
（１）ハンドル等が備えられた本体と、この本体に後端部が取付けられた外周部をチェン刃が回転するチェンバーと、前記本体に取付けられた前記チェンバーの後端部を覆うチェンスプロケットカバーと、このチェンスプロケットカバーの開口部の少なくとも下部側の前方部位の外周部を覆う前部カバーと、この前部カバー内に位置するように、前記チェンスプロケットカバーあるいは該前部カバーに取付けられたチェン刃に付着したオガクズを除去するオガクズ除去ブラシとで構成されているので、枝打ちや枝払い作業時にチェン刃に付着するオガクズをオガクズ除去ブラシによって除去することができる。
したがって、チェンスプロケットカバー内に付着するオガクズを著しく低減でき、チェンスプロケットカバーを外しての清掃作業回数を低減して、効率よく枝打ちや枝払い作業を行なうことができる。
【００２１】
（２）前記（１）によって、オガクズ除去ブラシは前部カバー内に位置するので、除去するオガクズが外部へ飛散するのを効率よく阻止できる。
したがって、従来のように防塵カバー等を用いることなく作業を行なうことができる。
【００２２】
（３）前記（１）によって、構造が簡単であるので、容易に実施することができる。
【００２３】
（４）請求項２、３も前記（１）〜（３）と同様な効果が得られるとともに、チェンスプロケットカバー内に侵入したオガクズを、上下部オガクズ排出孔より効率よく外部へ排出することができ、かつ該部よりブラシ等を用いて外部へ排出できる。
したがって、チェンスプロケットカバーを外すことなく該チェンスプロケットカバー内に侵入したオガクズを除去することができ、オガクズの除去作業が容易で、短時間に行なうことができる。
【００２４】
（５）請求項４、５も前記（１）〜（３）と同様な効果が得られる。
【図面の簡単な説明】
【図１】本発明の第１の実施の形態の平面図。
【図２】本発明の第１の実施の形態の側面図。
【図３】本発明の第１の実施の形態の正面図。
【図４】チェンスプロケットカバーを外した状態の説明図。
【図５】チェンスプロケットカバーの説明図。
【図６】オガクズ除去ブラシの説明図。
【図７】図２の７−７線に沿う拡大断面図。
【図８】本発明の第２の実施の形態の平面図。
【図９】本発明の第２の実施の形態の側面図。
【図１０】図９の１０−１０線に沿う拡大断面図。
【図１１】本発明の第３の実施の形態の平面図。
【図１２】本発明の第３の実施の形態の側面図。
【図１３】本発明の第３の実施の形態の拡大正面図。
【図１４】本発明の第４の実施の形態の平面図。
【図１５】本発明の第４の実施の形態の側面図。
【図１６】回転ブラシの取付け状態の説明図。
【図１７】本発明の第５の実施の形態の平面図。
【図１８】本発明の第５の実施の形態の側面図。
【図１９】オガクズ除去ブラシの説明図。
【図２０】本発明の第６の実施の形態の平面図。
【図２１】本発明の第６の実施の形態の側面図。
【図２２】オガクズ除去ブラシの説明図。
【図２３】本発明の第７の実施の形態の平面図。
【図２４】本発明の第７の実施の形態の側面図。
【符号の説明】
１、１Ａ、１Ｂ、１Ｃ、１Ｄ、１Ｅ、１Ｆ：チェンソー、
２：ハンドル、          ３、３Ａ：本体、
４：チェン刃、          ５：チェンバー、
６：チェンスプロケットカバー、
７：開口部、            ８、８Ａ：前部カバー、
９、９Ａ、９Ｂ、９Ｃ：オガクズ除去ブラシ、
１０、１１：カバー、
１２：上部オガクズ排出孔、
１３：下部オガクズ排出孔、
１４：ベース板、        １５：係止ピン、
１６：ボルト、          １７：取付け部、
１８：スプロケット、    １９：エンジン、
２０：伝達手段、
２１：スプロケット駆動機構、
２２、２２Ａ、２２Ｂ、２２Ｃ：支持具、
２３、２３Ａ、２３Ｂ、２３Ｃ：ブラシ本体、
２４：オイルカバー、    ２５：取付けボルト、
２６：取付け片、        ２７：回転ブラシ、
２８：ギザギザ、        ２９：ビス。
【図１】
2004188724.tif 000003
【図２】
2004188724.tif 000004
【図３】
2004188724.tif 000005
【図４】
2004188724.tif 000006
【図５】
2004188724.tif 000007
【図６】
2004188724.tif 000008
【図７】
2004188724.tif 000009
【図８】
2004188724.tif 000010
【図９】
2004188724.tif 000011
【図１０】
2004188724.tif 000012
【図１１】
2004188724.tif 000013
【図１２】
2004188724.tif 000014
【図１３】
2004188724.tif 000015
【図１４】
2004188724.tif 000016
【図１５】
2004188724.tif 000017
【図１６】
2004188724.tif 000018
【図１７】
2004188724.tif 000019
【図１８】
2004188724.tif 000020
【図１９】
2004188724.tif 000021
【図２０】
2004188724.tif 000022
【図２１】
2004188724.tif 000023
【図２２】
2004188724.tif 000024
【図２３】
2004188724.tif 000025
【図２４】
2004188724.tif 000026